(57)【特許請求の範囲】
【請求項１】
おむつの前身頃と後身頃とを固定するために用いられ、
基材と前記基材の表面に付設されたメカニカルファスナーのフック材とを備え、
前記フック材のそれぞれの端部には、前記フック材の表面側から前記基材側に向けて所定の幅で押圧された帯状の凹部が形成されており、
前記凹部は、押圧深さの深い深凹部と、前記深凹部よりも押圧深さが浅い浅凹部とが、所定の繰り返しパターンを有するように形成され、
前記深凹部及び前記浅凹部のそれぞれは、前記押圧により前記フック材の止着力を喪失したもの、又は、前記深凹部は、前記押圧により前記フック材の止着力を喪失したものであるとともに、前記浅凹部は、前記フック材の止着力を喪失せずに有しているものである止着テープ。
【請求項２】
前記フック材は、接着剤によって前記基材に接合されている請求項１に記載の止着テープ。
【請求項３】
前記凹部は、加圧のみ、ヒートシール、又は超音波溶着によって形成されたものである請求項１又は２に記載の止着テープ。
【請求項４】
帯状に形成された前記凹部の幅が、１〜９ｍｍである請求項１〜３のいずれか一項に記載の止着テープ。
【請求項５】
前記凹部は、前記深凹部と前記浅凹部との少なくとも一方が、帯状に形成された前記凹部の軸方向に対して斜めに配列された繰り返しパターンを有するように形成されている請求項１〜４のいずれか一項に記載の止着テープ。
【請求項６】
前記斜めに配列された繰り返しパターンが、前記フック材の一方の端部側と他方の端部側とでパターンの向きが逆向きになるように構成されている請求項５に記載の止着テープ。
【請求項７】
前記基材の裏面は、前記フック材の表面の前記凹部の凹凸が出現しておらず、平面状に構成されている請求項１〜６のいずれか一項に記載の止着テープ。
【請求項８】
長尺基材シートの一方の面に、前記長尺基材シートの長手方向に沿って帯状の長尺フック材を載置して長尺シート積層体を得るシート積層工程と、
得られた前記長尺シート積層体の前記長尺フック材の両側縁部を、前記長尺フック材の表面側から前記長尺基材シート側に向けて所定の幅で押圧して凹部を形成する凹部形成工程と、
前記凹部を形成した前記長尺シート積層体を、所定の幅で切り離すことにより複数の止着テープを得る止着テープ切離工程と、を備え、
前記凹部形成工程において、前記凹部を、押圧深さの深い深凹部と、前記深凹部よりも押圧深さが浅い浅凹部とが、所定の繰り返しパターンを有し、前記深凹部及び前記浅凹部のそれぞれが、押圧により前記長尺フック材の止着力を喪失したもの、又は、前記深凹部が、押圧により前記長尺フック材の止着力を喪失したものであるとともに、前記浅凹部が、前記長尺フック材の止着力を喪失せずに有しているものとなるように形成する止着テープの製造方法。
【請求項９】
前記シート積層工程において、前記長尺基材シートと前記長尺フック材とを接合する請求項８に記載の止着テープの製造方法。
【請求項１０】
前記凹部形成工程において、前記長尺フック材の両側縁部を、加圧のみ、ヒートシール、又は超音波溶着して前記凹部を形成する請求項８又は９に記載の止着テープの製造方法。
【請求項１１】
前記止着テープ切離工程において、前記凹部を形成した前記長尺シート積層体を、切断の軌跡が前記長尺シート積層体の長手方向に沿ってＳ字カーブを描くように切断して２枚の止着テープ中間体を得、
得られた前記各止着テープ中間体の前記Ｓ字カーブ状に形成された側縁の谷部と直線状に形成された側縁との間を切り離すことによって、複数の前記止着テープを得る請求項８〜１０のいずれか一項に記載の止着テープの製造方法。
【請求項１２】
長尺基材シートの一方の面に、前記長尺基材シートの長手方向に沿って帯状の長尺フック材を載置して長尺シート積層体を形成するシート積層部と、
前記長尺シート積層体の前記長尺フック材の両側縁部を、前記長尺フック材の表面側から前記長尺基材シート側に向けて所定の幅で押圧する凸部が押圧面に形成された押圧手段を有するシート押圧部と、を備え、
前記押圧手段の前記押圧面の前記凸部は、突出高さの高い高凸部と、前記高凸部よりも突出高さの低い低凸部とから構成されたものであり、
前記高凸部の前記押圧により前記長尺フック材に押圧深さの深い深凹部が形成されるとともに、前記低凸部の前記押圧により前記長尺フック材に前記深凹部よりも押圧深さが浅い浅凹部が形成され、前記深凹部及び前記浅凹部のそれぞれが、前記押圧により前記長尺フック材の止着力を喪失したものとなるか、又は、前記深凹部が、押圧により前記長尺フック材の止着力を喪失し、且つ前記浅凹部が、前記長尺フック材の止着力を喪失せずに有しているものとなる止着テープ製造装置。
【請求項１３】
前記シート押圧部の前記押圧手段が、前記押圧面に前記高凸部と前記低凸部とが所定の繰り返しパターンを有するように配列したパターンロールを有する請求項１２に記載の止着テープ製造装置。
【請求項１４】
前記シート押圧部の前記押圧手段が、超音波溶着用の超音波ホーンと前記超音波ホーンの受けロールとを有し、前記超音波ホーンと前記受けロールとのうちの一方の前記押圧面に前記凸部が形成されている請求項１２に記載の止着テープ製造装置。
【請求項１５】
前記シート積層部が、前記長尺基材シートと前記長尺フック材とを接合するための接合手段を有する請求項１２〜１４のいずれか一項に記載の止着テープ製造装置。
【請求項１６】
吸収体と、前記吸収体の表面を被覆するように配置され、少なくとも一部が液透過性材料からなるトップシートと、前記吸収体の裏面を被覆するように配置され、液不透過性材料からなるバックシートとを備えるとともに、
前身頃、股下部及び後身頃の各部から構成されており、
前記後身頃の左右の各側縁から延出するように配置され、前記前身頃と前記後身頃とを固定するための止着テープを更に備えたテープ型おむつであって、
前記止着テープが、請求項１〜７のいずれか一項に記載の止着テープであるテープ型おむつ。
【請求項１７】
前記後身頃の左右の各側縁に、前記止着テープが２個ずつ配置されている請求項１６に記載のテープ型おむつ。
【発明の詳細な説明】
【技術分野】
【０００１】
本発明は、止着テープ、その製造方法及び製造装置、並びにテープ型おむつに関する。更に詳しくは、おむつの前身頃と後身頃とを固定するために用いられ、基材とフック材とが剥がれ難く、且つ、基材とフック材との接合部分に反りや波打ちが生じ難く、おむつの装着感を向上させることが可能な止着テープ、その製造方法及び製造装置、並びにこのような止着テープを備えたテープ型おむつに関する。
【背景技術】
【０００２】
一般に、テープ型おむつは、例えば、図２０に示すテープ型おむつ１５０のように、吸収体２２と、吸収体２２の表面を被覆するように配置され、少なくとも一部が液透過性材料からなるトップシート１８と、吸収体２２の裏面を被覆するように配置され、液不透過性材料からなるバックシート２０とを備えるとともに、前身頃２、股下部４及び後身頃６の各部から構成されており、後身頃６の左右の各側縁６ａ，６ｂから延出するように配置され、前身頃２と後身頃６とを固定するための止着テープ１４０を更に備えた使い捨ておむつである（例えば、特許文献１〜３参照）。
【０００３】
このようなテープ型おむつ１５０によれば、着用者の排泄物はトップシート１８の液透過性の部分（図中ではセンターシート１８ａ）を透過して吸収体２２に吸収されるとともに、通常、液不透過性の材料で構成されるバックシート２０によって外部への漏洩が防止され、排泄物をおむつ内部に保持することができる。また、止着テープ１４０によっておむつの前身頃２と後身頃６とを相互に固定することで、着用者に容易に装着させることができるという利点をも有するものである。
【０００４】
ところで、従来、テープ型おむつのファスニングシステムとしては、粘着剤の粘着力により固定を行う粘着ファスナーが汎用されていたが、近年では、凸部材（フック材）と凹部材（ループ材）の機械的結合により固定を行うメカニカルファスナー（面状ファスナーとも称される）への移行が進行しつつある。
【０００５】
このような止着テープは、図２１に示すように、上記したメカニカルファスナーのフック材１４４を、基材１４８の表面に付設させることによって形成されている。フック材の付設方法については、例えば、フック材の裏面に接着剤を塗布して接合する方法、又は、基材として、熱可塑性の樹脂フィルムで表面を被覆した基材を用い、上記した接着剤と併用して、フック材の端部を一定の幅でヒートシールして基材の表面に接合する方法が用いられていた。図２１においては、フック材１４４のそれぞれの端部１４４ａを、フック材１４４の表面側から基材１４８側に向けて帯状に加熱押圧することによってヒートシールした例を示している。
【０００６】
【特許文献１】特開２００４−２０１８９４号公報
【特許文献２】特開２００５−３１９３１９号公報
【特許文献３】特開２００５−２７９００５号公報
【発明の開示】
【発明が解決しようとする課題】
【０００７】
しかしながら、特許文献１及び２に示すような、例えば、フック材の端部を均一な深さに押圧して基材に圧着させた場合には、フック材の押圧部分に反りや波打ちが生じてしまうことがあり、止着テープの止着力が低下してしまうという問題があった。
【０００８】
例えば、このように押圧部分に反りや波打ちが生じた止着テープをテープ型おむつ等に用いた場合には、おむつを固定する止着テープが外れ易くなってしまったり、装着感が悪くなってしまったりする。
【０００９】
また、特許文献３の止着テープは、着色されたサイドパネルから識別するための識別部をエンボス加工によって形成したものであるが、識別部のみをエンボス加工するため、フック材の接合強度が低く、フック材が基材から脱離し易いという問題があった。
【００１０】
本発明は、このような従来技術の課題を解決するためになされたものであり、おむつの前身頃と後身頃とを固定するために用いられ、基材とフック材とが剥がれ難く、且つ、基材とフック材との接合部分に反りや波打ちが生じ難く、おむつの装着感を向上させることが可能な止着テープ、その製造方法及び製造装置、並びにこのような止着テープを備えたテープ型おむつを提供するものである。
【課題を解決するための手段】
【００１１】
本発明者は、前記のような従来技術の課題を解決するために鋭意検討した結果、フック材のそれぞれの端部に、押圧深さの深い深凹部と、この深凹部よりも押圧深さの浅い浅凹部とが所定の繰り返しパターンで配列した凹部を設けることによって、上記課題が解決されることに想到し、本発明を完成させた。具体的には、本発明により、以下の止着テープ、その製造方法及び製造装置、並びにテープ型おむつが提供される。
【００１２】
［１］  おむつの前身頃と後身頃とを固定するために用いられ、基材と前記基材の表面に付設されたメカニカルファスナーのフック材とを備え、前記フック材のそれぞれの端部には、前記フック材の表面側から前記基材側に向けて所定の幅で押圧された帯状の凹部が形成されており、前記凹部は、押圧深さの深い深凹部と、前記深凹部よりも押圧深さが浅い浅凹部とが、所定の繰り返しパターンを有するように形成され、前記深凹部及び前記浅凹部のそれぞれは、前記押圧により前記フック材の止着力を喪失したもの、又は、前記深凹部は、前記押圧により前記フック材の止着力を喪失したものであるとともに、前記浅凹部は、前記フック材の止着力を喪失せずに有しているものである止着テープ。
【００１５】
［２］  前記フック材は、接着剤によって前記基材に接合されている前記［１］に記載の止着テープ。
【００１６】
［３］  前記凹部は、加圧のみ、ヒートシール、又は超音波溶着によって形成されたものである前記［１］又は［２］に記載の止着テープ。
【００１７】
［４］  帯状に形成された前記凹部の幅が、１〜９ｍｍである前記［１］〜［３］のいずれかに記載の止着テープ。
【００１８】
［５］  前記凹部は、前記深凹部と前記浅凹部との少なくとも一方が、帯状に形成された前記凹部の軸方向に対して斜めに配列された繰り返しパターンを有するように形成されている前記［１］〜［４］のいずれかに記載の止着テープ。
【００１９】
［６］  前記斜めに配列された繰り返しパターンが、前記フック材の一方の端部側と他方の端部側とでパターンの向きが逆向きになるように構成されている前記［５］に記載の止着テープ。
【００２０】
［７］  前記基材の裏面は、前記フック材の表面の前記凹部の凹凸が出現しておらず、平面状に構成されている前記［１］〜［６］のいずれかに記載の止着テープ。
【００２１】
［８］  長尺基材シートの一方の面に、前記長尺基材シートの長手方向に沿って帯状の長尺フック材を載置して長尺シート積層体を得るシート積層工程と、得られた前記長尺シート積層体の前記長尺フック材の両側縁部を、前記長尺フック材の表面側から前記長尺基材シート側に向けて所定の幅で押圧して凹部を形成する凹部形成工程と、前記凹部を形成した前記長尺シート積層体を、所定の幅で切り離すことにより複数の止着テープを得る止着テープ切離工程と、を備え、前記凹部形成工程において、前記凹部を、押圧深さの深い深凹部と、前記深凹部よりも押圧深さが浅い浅凹部とが、所定の繰り返しパターンを有し、前記深凹部及び前記浅凹部のそれぞれが、押圧により前記長尺フック材の止着力を喪失したもの、又は、前記深凹部が、押圧により前記長尺フック材の止着力を喪失したものであるとともに、前記浅凹部が、前記長尺フック材の止着力を喪失せずに有しているものとなるように形成する止着テープの製造方法。
【００２２】
［９］  前記シート積層工程において、前記長尺基材シートと前記長尺フック材を接合する前記［８］に記載の止着テープの製造方法。
【００２３】
［１０］  前記凹部形成工程において、前記長尺フック材の両側縁部を、加圧のみ、ヒートシール、又は超音波溶着して前記凹部を形成する前記［８］又は［９］に記載の止着テープの製造方法。
【００２４】
［１１］  前記止着テープ切離工程において、前記凹部を形成した前記長尺シート積層体を、切断の軌跡が前記長尺シート積層体の長手方向に沿ってＳ字カーブを描くように切断して２枚の止着テープ中間体を得、得られた前記各止着テープ中間体の前記Ｓ字カーブ状に形成された側縁の谷部と直線状に形成された側縁との間を切り離すことによって、複数の前記止着テープを得る前記［８］〜［１０］のいずれかに記載の止着テープの製造方法。
【００２５】
［１２］  長尺基材シートの一方の面に、前記長尺基材シートの長手方向に沿って帯状の長尺フック材を載置して長尺シート積層体を形成するシート積層部と、前記長尺シート積層体の前記長尺フック材の両側縁部を、前記長尺フック材の表面側から前記長尺基材シート側に向けて所定の幅で押圧する凸部が押圧面に形成された押圧手段を有するシート押圧部と、を備え、前記押圧手段の前記押圧面の前記凸部は、突出高さの高い高凸部と、前記高凸部よりも突出高さの低い低凸部とから構成されたものであり、前記高凸部の前記押圧により前記長尺フック材に押圧深さの深い深凹部が形成されるとともに、前記低凸部の前記押圧により前記長尺フック材に前記深凹部よりも押圧深さが浅い浅凹部が形成され、前記深凹部及び前記浅凹部のそれぞれが、前記押圧により前記長尺フック材の止着力を喪失したものとなるか、又は、前記深凹部が、押圧により前記長尺フック材の止着力を喪失し、且つ前記浅凹部が、前記長尺フック材の止着力を喪失せずに有しているものとなる止着テープ製造装置。
【００２６】
［１３］  前記シート押圧部の前記押圧手段が、前記押圧面に前記高凸部と前記低凸部とが所定の繰り返しパターンを有するように配列したパターンロールを有する前記［１２］に記載の止着テープ製造装置。
【００２７】
［１４］  前記シート押圧部の前記押圧手段が、超音波溶着用の超音波ホーンと前記超音波ホーンの受けロールとを有し、前記超音波ホーンと前記受けロールとのうちの一方の前記押圧面に前記凸部が形成されている前記［１２］に記載の止着テープ製造装置。
【００２８】
［１５］  前記シート積層部が、前記長尺基材シートと前記長尺フック材とを接合するための接合手段を有する前記［１２］〜［１４］のいずれかに記載の止着テープ製造装置。
【００２９】
［１６］  吸収体と、前記吸収体の表面を被覆するように配置され、少なくとも一部が液透過性材料からなるトップシートと、前記吸収体の裏面を被覆するように配置され、液不透過性材料からなるバックシートとを備えるとともに、前身頃、股下部及び後身頃の各部から構成されており、前記後身頃の左右の各側縁から延出するように配置され、前記前身頃と前記後身頃とを固定するための止着テープを更に備えたテープ型おむつであって、前記止着テープが、前記［１］〜［７］のいずれかに記載の止着テープであるテープ型おむつ。
【００３０】
［１７］  前記後身頃の左右の各側縁に、前記止着テープが２個ずつ配置されている前記［１６］に記載のテープ型おむつ。
【発明の効果】
【００３１】
本発明の止着テープは、おむつの前身頃と後身頃とを固定するために用いられ、基材とフック材とが剥がれ難く、且つ、基材とフック材との接合部分に反りや波打ちが生じ難く、おむつの装着感を向上させることができる。
【００３２】
また、本発明の止着テープの製造方法は、上述した本発明の止着テープを簡便に且つ低コストで製造することができる。また、本発明の止着テープ製造装置は、本発明の止着テープの製造方法に好適に用いることができる。
【００３３】
更に、本発明のテープ型おむつは、上記した本発明の止着テープを備えたものであるため、止着力が高く、また、おむつを繰り返し長期間使用した場合や、着用者が寝返りをうつ等の動作を行った際にも、良好な装着感を実現することができる。
【発明を実施するための最良の形態】
【００３４】
以下、本発明の止着テープ、その製造方法及び製造装置、並びにテープ型おむつを実施するための最良の形態について、具体的に説明する。但し、本発明はその発明特定事項を備える止着テープ、その製造方法及び製造装置、並びにテープ型おむつを広く包含するものであり、以下の実施形態に限定されるものではない。
【００３５】
なお、本明細書において「テープ型おむつ」とは、図１に示すテープ型おむつ１のように、吸収体２２と、少なくとも一部が液透過性材料からなるトップシート１８と、液不透過性材料からなるバックシート２０とを備えるとともに、前身頃２、股下部４及び後身頃６の各部から構成されており、後身頃６の左右の各側縁６ａ，６ｂから延出するように配置され、後身頃６を前身頃２に対して固定するための止着テープ１０を更に備えた使い捨ておむつを意味するものとする。
【００３６】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００３７】
［１］止着テープ：
まず、本発明の止着テープの一の実施形態について説明する。本発明の止着テープは、図１〜図４に示される止着テープ１０のように、おむつの前身頃２と後身頃６とを固定するために用いられ、基材４８と、この基材４８の表面に付設されたメカニカルファスナーのフック材４４とを備え、フック材４４のそれぞれの端部４４ａには、フック材４４の表面側から基材４８側に向けて所定の幅で押圧された帯状の凹部６０が形成されている。
【００３８】
上記した凹部６０は、押圧深さの深い深凹部６２と、深凹部６２よりも押圧深さが浅い浅凹部６４とが、所定の繰り返しパターンを有するように配列して構成されている。
【００３９】
このような本発明の止着テープは、基材とフック材とが剥がれ難く、且つ、基材とフック材との接合部分に反りや波打ちが生じ難く、例えば、おむつの前身頃と後身頃とを固定するために用いた場合には、おむつの装着感を向上させることができる。
【００４０】
ここで、図１は、本発明の止着テープを用いたテープ型おむつの一の実施形態を示す一部切り欠き断面図であり、テープ型おむつを展開し、トップシート側から見た状態を示す図である。図２は、本発明の止着テープを用いたテープ型おむつの一の実施形態を示す拡大図であり、図１に示すテープ型おむつの止着テープ部分を拡大して示す図である。図３は、図２示す止着テープのフック材が付設された部位を更に拡大した拡大図である。図４は、図３に示す止着テープをＡ−Ａ’線に沿って切断した断面を示す概略断面図である。
【００４１】
上記した凹部は、フック材の表面側が圧縮されて、上記所定の繰り返しパターンが形成されたものであれば、例えば、フック材と基材とを圧力をかけて単に圧着させたものであってもよいし、圧力とともに熱を加えてフック材と基材とを融着させたものであってもよい。即ち、上記フック材は、接着剤等によって基材に接合され、更にフック材の両端部を押圧して上記凹部が形成されたものであってもよいし、また、接着剤等によってフック材と基材とが接合又は仮接合されるとともに、フック材の両端部が更にヒートシールや超音波溶着によって凹部の形成とともに再度接合されたものであってもよい。
【００４２】
上記フック材を接合する接着剤としては、例えば、従来公知のホットメルト接着剤等を挙げることができる。
【００４３】
本発明の止着テープ１０は、図１〜図３に示すように、凹部６０を構成する深凹部６２及び浅凹部６４のそれぞれが、凹部６０形成時における押圧によって、フック材４４の止着力をそれぞれ喪失したものであることが好ましい。
【００４４】
このように構成することによって、深凹部６２及び浅凹部６４（即ち、凹部６０全体）によって、フック材４４の両端部に所定の幅の非止着部位（止着力を喪失した部位）を形成することができ、基材４８からフック材４４がより脱離し難くなる。
【００４５】
即ち、フック材４４を接合する際には、上記した両端部における非止着部位の幅が広いほど、フック材４４の接合強度（ピール強度）を高くすることができる。このため、深凹部６２及び浅凹部６４が止着力を喪失したものとすることによって、フック材４４に反りや波打ちを生じ難くさせつつ、フック材４４の接合強度を向上させることが可能となる。
【００４６】
更に、このように構成することによって、例えば、止着テープ１０の先端部分が内側に向けて折れ曲がってフック材４４に係合してしまった場合であっても、止着テープ１０の先端部分を摘み易くして、係合した止着テープ１０の先端部分をフック材４４から簡単に引き剥がすことができる。
【００４７】
例えば、フック材が、メカニカルファスナーのような複数の突起（以下、ピンともいう）を有するものである場合には、上記ピンが押圧され塑性変形して凹部が形成されていることが好ましい。なお、特に限定されることはないが、本発明の止着テープにおいて、上述したように、凹部の浅凹部が止着力を喪失したものである場合には、フック材を構成するピンの突端から根元までの長さ（Ｌ）に対する、深凹部の押圧深さ（Ｈ１）と浅凹部の押圧深さ（Ｈ２）との差（Ｈ１−Ｈ２）の割合（（Ｈ１−Ｈ２）／Ｌ）が、０．１〜０．８であることが好ましく、０．１５〜０．７５であることが更に好ましく、０．２〜０．５であることが特に好ましい。なお、上記「ピンの突端から根元までの長さ」とは、ピンの突端に対して応力が加えられておらず、且つ前記ピンが塑性変形していない状態（即ち、押圧前の状態）におけるピンの長さのことをいう。また、「押圧深さ」とは、押圧前の状態におけるピンの突端から、押圧によって塑性変形した凹部の表面（底面）までの距離をいう。
【００４８】
このように、上記割合（（Ｈ１−Ｈ２）／Ｌ）を０．８以下とすることにより、浅凹部におけるフック材を構成するピンの形状が保持されず、肌に当たった際に痛みを感じなくすることができる。一方、上記割合（（Ｈ１−Ｈ２）／Ｌ）を０．１以上とすることにより、フック材の反りや波打ちを有効に防止することができる。
【００４９】
凹部は、接合したフック材の剥がれ難さ、また製造上の簡便さ等から、一定幅の帯状に形成されたものであることが好ましい。また、この凹部の幅については特に制限はないが、上記したように、浅凹部が止着力を喪失したものである場合には、フック材自体の幅や大きさによっても異なるが、帯状に形成された凹部の幅が、１〜９ｍｍであることが好ましく、２〜８ｍｍであることが更に好ましく、３〜７ｍｍであることが特に好ましい。
【００５０】
このように構成することによって、フック材に十分な止着力を残すことができる。また、押圧をヒートシールや超音波溶着によって行う場合には、ヒートシール等による十分な接合強度を発現させることができる。
【００５１】
なお、特に限定されることはないが、例えば、上記凹部は、フック材のそれぞれの端部から、フック材を付設した基材側にはみ出すように形成されていてもよい。このように構成することによって、フック材と基材とが凹部、特に深凹部によって押圧されるため、フック材と基材との接着力を更に向上させることが可能となる。なお、このような場合には、フック材の深凹部が、基材の表面側にまで達する深さまで押圧されて形成されていることが好ましい。
【００５２】
なお、本発明の止着テープは、上記凹部が、深凹部と浅凹部とから構成されていれば、例えば、浅凹部がフック材の止着力を喪失せずに有していてもよい。このように構成することによって、浅凹部についてもフロントパッチ等の被止着部位に止着させることができ、フック材の広い範囲を用いて止着させることができる。
【００５３】
また、例えば、ヒートシールや超音波溶着によって接合を行った場合には、例えば、フック材と基材との熱による収縮率の差によって生じる反りや波打ちは、押圧深さが浅く、フック材と基材との接合時における自由度の高い浅凹部によって緩和され、反りや波打ち、しわ等の発生を効果的に抑制することができる。
【００５４】
また、本発明の止着テープ１０は、帯状の凹部６０における上記繰り返しパターンによって接合部分の強度に差異が生じており、凹部６０の一部（例えば、いずれかの端縁）が剥がれてしまうようなことがあっても、その剥がれが凹部６０全体にまで及ぶという事態を有効に回避することが可能となる。
【００５５】
なお、このような止着テープの凹部は、例えば、フック材の表面側を押圧するパターンロールとして、深凹部と浅凹部との配列パターンに対応した凸部が押圧面に形成されたパターンロールを用いることによって形成することができる。
【００５６】
具体的なパターンロールの構成としては、例えば、その押圧面に、深凹部の配列パターンに対応した高凸部（深凹部の反転形状）と、浅凹部の配列パターンに対応した低凸部（浅凹部の反転形状）とから構成された凸部が形成されたものを挙げることができる。このようなパターンロールを用いることによって、上記高凸部によって深凹部が形成され、低凸部によって浅凹部が形成される。
【００５７】
また、止着テープの凹部の形成を超音波溶着によって行う場合には、超音波溶着用の超音波ホーンと超音波ホーンの受け台としての受けロールとのうちの一方の押圧面に、深凹部に対応した高凸部と、浅凹部に対応した低凸部とから構成された凸部が形成されたものを用いることが好ましい。なお、通常、超音波ホーンの押圧面はプレーン面とした方が好ましいため、超音波ホーンの受けロールの押圧面に上記凸部を形成することがより好ましい。このような場合には、超音波ホーンを基材の裏面側に配置し、また、超音波ホーンの受けロールをフック材の表面側に配置して超音波溶着を行う。押圧面に凸部を形成した超音波ホーンの受けロールとしては、例えば、上述したパターンロールと同様に構成されたものを好適に用いることができる。また、超音波ホーンとしては、ロール状の超音波ホーンを用いることもできるし、ロール状ではない固定式等の超音波ホーンを用いることもできる。
【００５８】
図３及び図４に示すように、止着テープ１０を構成する基材４８の裏面については、フック材４８表面の押圧の凹凸が出現しておらず、平面状に構成されていることが好ましい。
【００５９】
基材の裏面のみを平面状にする場合には、基材とフック材とを押圧する際に、例えば、フック材の表面側を押圧するパターンロールとして、深凹部と浅凹部との配列パターンに対応した凸部を有するパターンロールを用い、且つ、基材の裏面側を押圧するロールとして、その表面が平坦なプレーンロールを用いればよい。
【００６０】
また、本発明の止着テープにおいては、この基材の裏面に、上記フック材に止着可能なループ材（以下、「裏面側ループ材」ということがある）が付設されていてもよい。
【００６１】
この裏面側ループ材は、フック材が付設された基材の裏面側に、上記凹部を形成した後に接合されたものであることが好ましい。上記裏面側ループ材は、ホットメルト接着剤等を用いて接合することができる。
【００６２】
このように構成することによって、例えば、図５に示すように、後身頃６の左右の各側縁６ａ，６ｂに、本発明の止着テープ１０ｘ，１０ｙが２個ずつ配置されたテープ型おむつ１とした場合に、各側縁６ａ，６ｂにおける一方の止着テープ１０ｘをフロントパッチ１２に止着し、他方の止着テープ１０ｙを、フロントパッチ１２に止着した一方の止着テープ１０ｘの裏面の裏面側ループ材に対して止着させることもできる。
【００６３】
このような止着テープは、着用者の体型、具体的には、ウエスト周り、脚周りの寸法に合わせてテープ位置、締め付け具合を調節できるという点で優れている。
【００６４】
ここで、図５に示すテープ型おむつ１は、後身頃６の左右の各側縁６ａ，６ｂに、本発明の止着テープ１０が２個ずつ配置されたものである（止着テープ１０ｘ，１０ｙ）。
【００６５】
例えば、基材の裏面、又は基材の裏面に裏面側ループ材を付設した場合には裏面側ループ材の表面に、フック材の凹部に対応した凹凸が出現していると、一の止着テープの裏面に他の止着テープを止着させた場合に、上記凹凸によって十分な止着力が得られず、他の止着テープが外れ易くなってしまうことがある。
【００６６】
また、本発明の止着テープにおいては、深凹部の総面積Ｓ１と浅凹部の総面積Ｓ２との総和面積（Ｓ１＋Ｓ２）に対する、上記深凹部の総面積Ｓ１の割合（Ｓ１／（Ｓ１＋Ｓ２））が、０．４〜０．９であることが好ましく、０．５〜０．８であることが更に好ましく、０．６〜０．７であることが特に好ましい。
【００６７】
このように構成することによって、フック材と基材との十分な接合強度を保ちつつ、フック材の反りや波打ちを有効に抑制することができる。
【００６８】
凹部を構成する深凹部と浅凹部との配列パターンについては特に制限はなく、一定の繰り返しパターンを有するものであればよい。例えば、図３に示すようなストライプ状のもの以外に、図６〜図１０に示すような形状を挙げることができる。
【００６９】
なお、図３は、帯状の凹部６０に、斜め縞状に深凹部６２と浅凹部６４とが繰り返し形成された止着テープ１０の例を示し、図６は、帯状の凹部６０ａにフィッシュボーン状（魚の骨状）の浅凹部６４ａが形成され、この凹部６０ａの他の部位が深凹部６２ａとなる止着テープ１０ａの例を示している。
【００７０】
また、図７は、帯状の凹部６０ｂに、ドット状の浅凹部６４ｂが形成され、凹部６０ｂの他の部位が深凹部６２ｂとなる止着テープ１０ｂの例を示し、図８は、横縞状、即ち、帯状の凹部６０ｃに、帯状の凹部の一方の側縁側から他方の側縁側にかけて凹部の長手方向に垂直となるよう配列された深凹部６２ｃと浅凹部６４ｃとが、凹部の長手方向に交互に形成された止着テープ１０ｃの例を示している。
【００７１】
更に、図９は、帯状の凹部６０ｄに、Ｖ字状の深凹部６２ｄと浅凹部６４ｄとが、凹部の長手方向に交互に形成された止着テープ１０ｄの例を示し、図１０は、帯状の凹部６０ｅに、十字状の浅凹部６４ｅが形成され、この凹部６０ｅの他の部位が深凹部６２ｅとなる止着テープ１０ｅの例を示している。
【００７２】
深凹部と浅凹部とが、上記図６〜図１０に示すような形状の繰り返しパターンを有するように配列されたものであっても、図３に示す止着テープと同様の効果を得ることができる。
【００７３】
なお、この止着テープは、それぞれの深凹部と浅凹部とが、帯状の凹部の一方の側縁側から他方の側縁側にかけて、凹部の長手軸に対して交差するような形状のものであることが好ましい。更に、図３に示す止着テープのように、帯状の凹部の長手軸に対して、深凹部と浅凹部とが斜めに配列されるような繰り返しパターンを有するように構成されていることがより好ましい。即ち、深凹部と浅凹部とが、帯状の凹部の長手軸に対して斜め縞状の繰り返しパターンを有するように構成されていることが好ましい。
【００７４】
このように構成することによって、例えば、凹部を形成する際に使用するパターンロール等の押圧面に、フック材の押圧時に発生するゴミやカスが挟まり難くなり、止着テープの生産性が向上する。また、上記パターンロール等の押圧面にゴミが挟まってしまった場合にも容易に取り除くことができる。
【００７５】
また、このように深凹部と浅凹部との少なくとも一方が、帯状の凹部の軸方向に対して、斜めに配列されるような繰り返しパターンを有する場合には、フック材の基材からの脱離を抑制する効果も期待することができる。
【００７６】
なお、本発明の止着テープにおいては、上記したように深凹部と浅凹部との少なくとも一方が斜めに配列されるような繰り返しパターンを有する場合に、例えば、図１１に示す止着テープ１０ｆのように、斜めに配列された繰り返しパターンが、フック材４４の一方の端部側の凹部６０ｆと、他方の端部側の凹部６０ｆとで、パターンの向きが逆向き（即ち、斜めの向きが逆向き）になるように構成されていることが特に好ましい。このように構成することによって、フック材に、反りや波打ち、しわ等がより発生し難くなる。
【００７７】
また、本発明の止着テープにおいては、フック材の両端部に形成された凹部とは別に、フック材の中央部分の一部に、他の凹部（以下、「中央凹部」ということがある）が形成されていてもよい。
【００７８】
このような中央凹部が形成された止着テープとしては、例えば、図１２に示すような、フック材４４の中央部分の一部が、帯状の凹部６０ｆと平行に所定の間隔でドット状に押圧された中央凹部６１ａが形成された止着テープ１０ｇや、図１３に示すように、フック材４４の中央部分の一部が、帯状の凹部６０ｆと平行に所定の幅で押圧された中央凹部６１ｂが形成された止着テープ１０ｈを挙げることができる。
【００７９】
上記中央凹部を形成することによって、フック材の中央部分の浮き、反り、波打ち等を有効に防止することができる。
【００８０】
なお、この中央凹部の形状については特に制限はないが、例えば、図１２に示すような、帯状の凹部６０ｆと平行に、所定の間隔でドット状に二列、千鳥状に押圧された中央凹部６１ａを好適例として挙げることができる。このように構成することによって、フック材４４の中央部分の止着力を大幅に低下させることなく、上述した中央凹部６１ａによる効果を効率的に発現させることができる。
【００８１】
この中央凹部の押圧深さについては特に制限はないが、中央凹部によって、フック材の中央部分を基材と圧着させることができる程度の押圧力によって押圧されたものであることが好ましい。具体的には、浅凹部の押圧深さから深凹部の押圧深さまでの押圧深さであることが好ましく、深凹部の押圧深さと同程度の押圧深さであることが更に好ましい。
【００８２】
「フック材」とは、メカニカルファスナー（面状ファスナーとも称される）の凸部材であり、凹部材であるループ材との機械的結合により固定を行うことができるものである。このフック材は基材の表面に付設される。「フック材」としては、例えば、表面に多数の突起（鉤状、きのこ状、錨状等）が形成されたものが用いられる。
【００８３】
一方、「ループ」としては、表面にループ状の繊維が配置されたもの等が用いられることが多い。このファスナーは、ループ材の表面にフック材を重ね合わせ、フック材の多数の突起をループ材の表面に係合させることにより、両部材を剥離可能な状態に、且つ、強固に固着させることができる。
【００８４】
例えば、図１に示すテープ型おむつ１は、止着テープ１０の基材４８にメカニカルファスナーのフック材４４が付設されている。一方、前身頃２には、メカニカルファスナーのループ材５２からなるフロントパッチ１２が配置されており、フック材４４を固定することが可能なように構成されている。
【００８５】
このような構成によって、おむつの後身頃６を前身頃２に対して固定することができ、おむつを着用者に装着させることが可能となる。図５は、図１に示すテープ型おむつ１の使用状態を示す図であり、止着テープ１０を用いて、テープ型おむつ１を着用者に装着させた状態を示すものである。
【００８６】
なお、このようなフック材は、押圧によって圧縮されて上記したような特定の繰り返しパターンを形成することが可能なものであれば、特に制限はないが、その素材としては、例えば、ポリオレフィン（ポリエチレン、ポリプロピレン等）、ポリエステル、脂肪族ポリアミド（いわゆるナイロン）、その他の熱可塑性樹脂からなる合成繊維を用いることができる。特に、ポリエチレンやポリプロピレンを好適に用いることができる。このような素材は、凹部の形成時に、例えば、加熱されたパターンロールを用いることによって、凹部の形成と、ヒートシールによる基材への接合とを同時に行うことが可能となる。
【００８７】
「基材」は、フック材を付設し、且つ止着テープ１０を後身頃６の左右の各側縁６ａ，６ｂに固定することによって、止着テープ１０の本体として機能するものである。
【００８８】
この基材の素材としては、スパンボンド、ＳＭＳ（スパンボンド／メルトブロー／スパンボンド）、ＳＭＭＳ（スパンボンド／メルトブロー／メルトブロー／スパンボンド）、カードエンボス、レジンボンド等の各種不織布からなるシート材を用いることができる。強度の面を考慮すると、スパンボンド不織布からなるシート材を用いることが好ましい。
【００８９】
不織布の構成材料としては、ポリオレフィン（ポリエチレン、ポリプロピレン等）、ポリエステル、脂肪族ポリアミド（いわゆるナイロン）、その他の熱可塑性樹脂からなる合成繊維を挙げることができる。この場合、合成繊維は単繊維であってもよいし、芯鞘構造等を有する複合繊維であってもよい。一般に、単繊維を使用する場合は、ポリオレフィンが多く用いられるが、強度の面を考慮するとポリエステルを用いることも好ましい。
【００９０】
また、基材の素材として、複数の不織布やフィルムを積層した積層体を用いることもできる。フィルムの積層体を用いる場合には、フック材を配置する面と反対側の面に、フック材と係合し易い不織布又はループ材（裏面側ループ材）を配置すると、図５に示すように、一の止着テープ１０ｘの裏面側に、他の止着テープ１０ｙを止着させることができる。
【００９１】
［２］止着テープの製造方法：
次に、本発明の止着テープの製造方法の一の実施形態について説明する。本発明の止着テープの製造方法は、長尺基材シートの一方の面に、その長尺基材シートの長手方向に沿って帯状の長尺フック材を載置して長尺シート積層体を得るシート積層工程と、得られた長尺シート積層体の長尺フック材の両側縁部を、長尺フック材の表面側から長尺基材シート側に向けて所定の幅で押圧して凹部を形成する凹部形成工程と、凹部を形成した長尺シート積層体を、所定の幅で切り離すことにより複数の止着テープを得る止着テープ切離工程と、を備え、凹部形成工程において、上記凹部を、押圧深さの深い深凹部と、その深凹部よりも押圧深さが浅い浅凹部とが、所定の繰り返しパターンを有するように形成するものである。
【００９２】
このように構成することによって、これまでに説明した本発明の止着テープを簡便且つ低コストに製造することができる。
【００９３】
以下、図１４に示す止着テープ製造装置を用いて止着テープを製造する例について、各工程毎に更に具体的に説明する。ここで、図１４は、本発明の止着テープの製造方法に用いられる止着テープ製造装置の構成を模式的に示す説明図であり、図１５は、図１４に示す止着テープ製造装置のＢに示す部分（シート押圧部近傍）を拡大して示す一部概略斜視図である。
【００９４】
［２−１］シート積層工程：
本発明の止着テープを製造する際には、まず、図１４に示すように、長尺基材シート７８を用意し、この長尺基材シート７８の一方の面に、長尺基材シート７８の長手方向に沿って帯状の長尺フック材７４を載置して長尺シート積層体７１を得る。
【００９５】
長尺シート積層体７１を形成する場合には、図１４に示すように、長尺基材シート７８と長尺フック材７４と予め接着剤９２によって接合、又は仮接合することが好ましい。図１４に示す止着テープ製造装置９０においては、接着剤塗布手段９４によって、長尺フック材７４の裏面に接着剤９２を塗布し、接着剤９２が塗布された裏面を長尺基材シート７８に重ね合わせて長尺シート積層体７１を形成している。
【００９６】
［２−２］凹部形成工程：
次に、図１４及び図１５に示すように、得られた長尺シート積層体７１の長尺フック材７４の両側縁部７４ａを、長尺フック材７４の表面側から長尺基材シート７８側に向けて所定の幅で押圧して凹部８０を形成する（凹部形成工程）。
【００９７】
上記した凹部８０は、例えば、図１７及び図１８に示すような、その押圧面に凹部の形状に対応した凸部９９が形成されたパターンロール９８を用いて形成することができる。即ち、このパターンロール９８の押圧面の凸部９９は、突出高さの高い高凸部９９ａと、高凸部９９ａよりも突出高さの低い低凸部９９ｂとが、所定の繰り返しパターンを有するように配列して構成されたものである。ここで、図１７は、凹部の形成に用いられるパターンロールの構成を模式的に示す平面図であり、図１８は、図１７に示すパターンロールのＣに示す部分を拡大して示す一部平面図である。
【００９８】
このようなパターンロール９８は、その押圧面の両側に上記凸部９９が形成され、パターンロール９８の押圧面の中央部分の少なくとも一部には突出部分（凸部）が形成されていない。この突出部分が形成されていない領域では、長尺フック材７４を構成するピンの押し潰しが行われないため、長尺フック材７４の中央部分に止着力を喪失していない止着領域を確保することができる。
【００９９】
なお、図１４及び図１５に示すように、凹部形成工程においては、長尺基材シート７８の裏面側を押圧するロールとして、長尺基材シート７８との接触面が平坦なプレーンロール１００を用いることが好ましい。
【０１００】
凹部形成工程において長尺基材シート７８と長尺フック材７４との接合を行う場合には、パターンロール９８とプレーンロール１００とを加熱させて、長尺基材シート７８と長尺フック材７４とをヒートシールする。
【０１０１】
一方、長尺基材シート７８と長尺フック材７４との接合を既に行っている場合には、パターンロール９８とプレーンロール１００とを必ずしも加熱させる必要はなく、単にパターンロール９８によって長尺フック材７４の両側縁部７４ａを圧縮して所定の繰り返しパターンの凹部８０を形成することもできる。
【０１０２】
また、本発明の製造方法においては、例えば、図１６に示すように、超音波溶着用の超音波ホーン９６と超音波ホーンの受けロールを有し、超音波ホーン９６と受けロールとのうちの一方の押圧面に、深凹部に対応した高凸部と、浅凹部に対応した低凸部とから構成された凸部が形成された押圧手段９５によって、凹部の形成を行ってもよい。なお、図１６に示す止着テープ製造装置９０ａにおいては、超音波ホーンの受けロールとして、その押圧面に凸部が形成されたパターンロール９８を用いている。ここで、図１６は、本発明の止着テープの製造方法に用いられる止着テープ製造装置の他の構成を模式的に示す説明図である。
【０１０３】
なお、本発明の製造方法においては、上記したように一対の押圧用のロールや超音波ホーンとその受けロール等によって、深凹部と浅凹部とを同時に形成するのではなく、深凹部と浅凹部とを別々に形成することもできる。
【０１０４】
具体的には、例えば、まず、長尺フック材の両側縁部を、浅凹部の深さで一定幅に押圧し、その後、深凹部に対応する部位を、浅凹部よりも更に深い押圧深さで押圧して、深凹部と浅凹部とから成る繰り返しパターンを形成してもよい。
【０１０５】
また、この凹部形成工程においては、長尺フック材７４の両側縁部７４ａに形成された凹部８０とは別に、長尺フック材の長手方向中央部分の一部に、他の凹部（中央凹部８１）を形成してもよい。
【０１０６】
このような中央凹部を形成する場合には、図１７及び図１８に示すように、パターンロール９８として、上記凸部９９とは別に、中央凹部８１の形成パターンに対応した中央凸部１０１が形成されたパターンロール９８を用いればよい。このように構成することによって、長尺フック材７４の両側縁部７４ａの凹部８０と、中央部分の中央凹部８１とを同時に形成することができる。
【０１０７】
なお、凹部形成工程において使用するパターンロール９８が、上記したように凸部９９と中央凸部１０１とを有する場合には、凸部９９と中央凸部１０１との間の非突出部分、及び、中央凸部１０１が、凸部９９に平行に二列以上の突出部分を有する場合には、これらの中央凸部１０１の相互間の非突出部分によって、止着力を喪失していない止着領域を確保することができる。
【０１０８】
なお、このパターンロール９８は、中央部分で分割され、両側の凸部９９の間隔を調整可能に構成されていることが好ましい。このように構成することによって、長尺フック材の幅に合わせて、パターンロール９８の幅を調整することができ、長尺フック材に形成する凹部位置の微調整や、幅の異なる長尺フック材に応じて、凸部９９の位置を調節することが可能となる。
【０１０９】
なお、この中央凸部は、長尺フック材の両側縁の凹部と必ずしも同時に形成する必要はなく、凹部の形成前、又は凹部を形成した後に、別のパターンロールを用いて中央凸部を形成してもよい。また、この中央凸部は、超音波溶着によって形成することもできる。
【０１１０】
［２−３］止着テープ切離工程：
次に、凹部を形成した長尺シート積層体を、所定の幅で切り離すことにより複数の止着テープを得る（止着テープ切離工程）。上記のような方法によれば、多数の止着テープを簡便に効率よく製造することが可能となる。
【０１１１】
この止着テープ切離工程は、例えば、図１５に示すように、長尺シート積層体７１を、切断の軌跡が長尺シート積層体７１の長手方向に沿ってＳ字カーブを描くように切断して２枚の止着テープ中間体７２を得、得られた各止着テープ中間体７２のＳ字カーブ状に形成された側縁の谷部と直線状に形成された側縁との間を切り離すことによって、複数の止着テープ１０を得る方法を挙げることができる。
【０１１２】
なお、このシートの切断方法としては、上記切断の軌跡が、長尺フック材７４を幅方向に跨ぐようにＳ字状に切断する方法を挙げることができる。このように構成することによって、各止着テープ中間体７２のＳ字カーブ状に形成された山部側に、深凹部８２と浅凹部８４とから構成された凹部８０を有するフック材が、それぞれ配置されることとなる。
【０１１３】
長尺シート積層体７１の切断は連続的な形状に切断する限り特に制限はないが、通常は、図１５に示すように、その軌跡が連続的なＳ字状、即ち、周期的な波型となるように切断することが好ましい。これにより、止着テープを一時に多数得ることが可能となる。
【０１１４】
このようにして各止着テープ中間体を得た場合には、得られた各止着テープ中間体のＳ字カーブ状に形成された側縁の谷部と直線状に形成された側縁との間を切り離すことによって、複数の止着テープを得る。上記のような方法によれば、多数の止着テープを簡便に効率よく製造することが可能となる。
【０１１５】
具体的には、図１９に示すように、各止着テープ中間体７２のＳ字カーブ状に形成された側縁の谷部１０２と直線状に形成された側縁１０４との間を切り離すことによって、複数の止着テープ７０を得る。図示の例では、各止着テープ中間体７２のＳ字カーブ状に形成された側縁の谷部１０２と直線状に形成された側縁１０４との間を、側縁１０４と直交する方向に切り離すことによって、複数の止着テープ７０を得ている。
【０１１６】
このように止着テープ中間体を切り離すことによって、複数の止着テープを得ることができる。但し、この「切り離し」に先立って、フック材及び止着テープの仮止めを行っておくことが好ましい。自由端を有する止着テープが遊動している状態であると、連続的な生産を行う際に、その自由端が製造設備に引っかかる等の不具合の原因となるおそれがあるからである。
【０１１７】
例えば、止着テープ中間体を、フック材が付設された部位と直線状に形成された側縁との間においてフック材を内側とするように折り返し、フック材を長尺基材シートの表面に仮止めをした後、Ｓ字カーブ状に形成された側縁の谷部と直線状に形成された側縁との間を切り離すことが好ましい。Ｓ字カーブ状に形成された側縁の谷部と直線状に形成された側縁との間を切り離す前に仮止めをすることにより、複数の止着テープについての折り返し作業を一時に且つ連続的に行うことができ、「切り離し」の後に前記折り返し作業を行った場合と比較して、安定的且つ効率的に、前記折り返し作業を行うことができる。
【０１１８】
図１９に示す製造方法は、止着テープ中間体７２を、フック材が付設された部位と直線状に形成された側縁１０４との間においてフック材８４を内側とするように折り返し、フック材８４を長尺基材シート７８の表面に仮止めをした後（仮止め部８６）、Ｓ字カーブ状に形成された側縁の谷部１０２と直線状に形成された側縁１０４との間を切り離した例である。
【０１１９】
［３］止着テープ製造装置：
次に、本発明の止着テープ製造装置の一の実施形態について説明する。本発明の止着テープ製造装置は、これまでに説明した止着テープの製造方法に用いられる製造装置である。
【０１２０】
即ち、本発明の止着テープ製造装置は、図１４及び図１５に示すよう、長尺基材シート７８の一方の面に、長尺基材シート７８の長手方向に沿って帯状の長尺フック材を載置して長尺シート積層体７１を形成するシート積層部１２２と、長尺シート積層体７１の長尺フック材７４の両側縁部７４ａを、長尺フック材７４の表面側から長尺基材シート７８側に向けて所定の幅で押圧する凸部９９が押圧面に形成された押圧手段９５（図１４及び図１５においては、パターンロール９８）を有するシート押圧部１２４と、を備えている。
【０１２１】
本発明の止着テープ製造装置においては、この押圧手段の押圧面の凸部が、突出高さの高い高凸部と、高凸部よりも突出高さの低い低凸部とから構成されている。例えば、図１７及び図１８に示すパターンロール９８の凸部９９は、突出高さの高い高凸部９９ａと、高凸部９９ａよりも突出高さの低い低凸部９９ｂとが所定の繰り返しパターンを有するように配列したものである。
【０１２２】
なお、本発明の止着テープ製造装置の押圧手段としては、例えば、超音波溶着によって、上記凹部の形成を行うものであってもよい。例えば、図１６に示す止着テープ製造装置９０ａは、押圧手段９５として超音波溶着用の超音波ホーン９６と超音波ホーンの受けロールとを有し、この超音波ホーンの受けロールの押圧面に、深凹部に対応した高凸部と、浅凹部に対応した低凸部とが形成されている（パターンロール９８）。なお、図１６に示すように、凹部を形成するための凸部は、超音波溶着が良好に行うことができるように、超音波ホーンの受けロール（パターンロール９８）に形成されるが、例えば、図示は省略するが、超音波ホーンの押圧面に凸部を形成し、フック材の表面側に超音波ホーンを配置して超音波溶着を行ってもよい。また、図１６においては、固定式の超音波ホーン９６を用いた例を示しているが、例えば、ロール状の超音波ホーンを用いてもよい。
【０１２３】
これらのような止着テープ製造装置を用いることによって、フック材のそれぞれの端部に、深凹部と浅凹部とから構成された凹部が形成された止着テープを簡便且つ低コストに製造することができる。
【０１２４】
［３−１］シート積層部：
シート積層部は、長尺基材シートの一方の面に、長尺基材シートの長手方向に沿って帯状の長尺フック材を載置して長尺シート積層体を形成するものであり、このようなシート積層部は、従来の止着テープ製造装置における、長尺基材シートに長尺フック材を載置するシート積層部と同様に構成されているものを用いることができる。例えば、図１４及び図１５に示すように、長尺基材シート７８を連続的に繰り出し可能な長尺基材シート供給ロール１１８と、長尺フック材７４を連続的に繰り出し可能な長尺フック材供給ロール１１４と、長尺基材シート７８の一方の面側に長尺フック材７４を案内して、長尺基材シート７８の一方の面側に長尺フック材７４を載置する支持ロール１１６とを有するものを挙げることができる。
【０１２５】
また、本発明の止着テープ製造装置においては、長尺基材シートと、その表面に載置された長尺フック材とを接合するための接合手段を更に有していてもよい。このような接合手段としては、例えば、図１４に示す止着テープ製造装置９０のように、長尺フック材７４の裏面に接着剤９２を塗布する接着剤塗布手段９４を挙げることができる。
【０１２６】
なお、接合手段は、長尺基材シートと、その表面に載置された長尺フック材とを接合することが可能なものであれば、上記接着剤塗布手段に限定されることはない。また、本発明の止着テープ製造装置においては、例えば、凹部を形成するシート押圧部にて、長尺基材シートと長尺フック材とを接合するように構成されたものであってもよいため、シート積層部においては、上述した接合手段を有するものとせず、単に長尺基材シートと長尺フック材とを重ね合わせて長尺シート積層体を形成するものであってもよい。
【０１２７】
［３−２］シート押圧部：
シート押圧部は、凸部が押圧面に形成された押圧手段によって、長尺シート積層体の長尺フック材の両側縁部を押圧し、上記凸部の配列パターンを長尺フック材の両側縁部に刻設するものである。
【０１２８】
具体的には、図１４及び図１５に示す止着テープ製造装置９０は、長尺シート積層体７１の長尺フック材７４の両側縁部７４ａを、長尺フック材７４の表面側から長尺基材シート７８側に向けて所定の幅で押圧して凹部８０を形成するものである。このため、シート押圧部１２４は、押圧面に凹部８０の形状に対応した凸部が形成された押圧用のロール（パターンロール９８）を有している。このパターンロール９８としては、上記した本発明の止着テープの製造方法にて説明した、図１７及び図１８に示すような、突出高さの高い高凸部９９ａと、高凸部９９ａよりも突出高さの低い低凸部９９ｂとが、所定の繰り返しパターンを有するように構成された凸部９９が形成されたパターンロール９８を好適例として挙げることができる。
【０１２９】
また、このパターンロール９８の対となる凹部形成用のロールとしては、例えば、図１４及び図１５に示すように、長尺基材シート７８との接触面が平坦なプレーンロール１００を好適例として挙げることができる。
【０１３０】
更に、図示は省略するが、シート押圧部は、凹部の形成とともに、長尺基材シートと長尺フック材とをヒートシールして接合することができるように、パターンロール及びプレーンロールを加熱する加熱手段を更に有していてもよい。このように構成することによって、凹部の形成と同時に、長尺基材シートと長尺フック材とを凹部によって接合（融着）することができる。
【０１３１】
上記加熱手段は、従来公知のヒートシール装置に用いられる加熱手段を好適に用いることができる。加熱温度は、長尺基材シートと長尺フック材とをヒートシールすることが可能な温度まで、凹部形成用のロール（パターンロール９８，プレーンロール１００）を加熱可能なものであればよい。
【０１３２】
パターンロールの高凸部と低凸部の配列パターンや、それぞれの凸部の高さや幅については特に制限はなく、製造する止着テープにおける凹部の繰り返しパターンの形状等に応じて適宜決定することができる。即ち、止着テープにおける凹部の繰り返しパターンの反転形状がパターンロールの凸部の配列パターンとなる。
【０１３３】
また、このパターンロールは、例えば、図１７及び図１８に示すように、上記凸部９９とは別に、上述した中央凹部８１（図１５参照）の形成パターンに対応した中央凸部１０１が形成されたものであってもよい。なお、図１７における符号９７は、パターンロール９８を回転可能に支持するためのパターンロール支持体を示す。パターンロール支持体９７は、パターンロール９８の回転軸を支持し、また、パターンロール９８が中央部分で分割可能に構成されている場合には、パターンロール支持体９７を左右に移動させることによって、パターンロール９８の凸部９９の位置を調節することができる。
【０１３４】
また、押圧手段が、超音波溶着用の超音波ホーンと超音波ホーンの受けロールとから構成される場合には、従来公知の超音波ホーン、及び超音波ホーンの受け台となる受けロールのいずれかの押圧面に、凹部の形状に対応した凸部が形成されたものを好適に用いることができる。なお、図１６に示す止着テープ製造装置９０ａにおいては、受けロールとしてパターンロール９８を用いている。なお、押圧面の凸部の形状については、形成する凹部の形状に応じて適宜選択することができる。なお、超音波ホーンは、電気エネルギーを機械的振動エネルギーに変換する振動子を有し、振動子にて変換された機械的振動エネルギーを、超音波ホーンの押圧面から被接合体（即ち、長尺フック材と長尺基材シート）の境界面に伝達させ、境界面に生じる摩擦熱によって被接合体を融着させることができる。本発明の止着テープ製造装置においては、被接合体が溶融した際に圧力を加え、超音波ホーンの押圧面の凸部の形状を、長尺フック材の両側縁部に刻設する。
【０１３５】
なお、超音波ホーンによる超音波溶着の条件について特に制限はなく、従来公知の超音波溶着の条件（例えば、振動子の振幅、押圧圧力等）に準じて超音波溶着を行うことができる。
【０１３６】
［３−３］止着テープ製造装置のその他の構成：
本発明の止着テープ製造装置は、これまでに説明したシート積層部及びシート押圧部を備えたものであれば、その他の構成については特に制限はなく、従来公知の止着テープ製造装置を構成する他の構成要素を更に備えたものであってもよい。
【０１３７】
例えば、図１４に示すテープ製造装置９０は、シート押圧部１２４によって凹部８０を形成した後に、その長尺シート積層体７１を、長尺シート積層体７１の長手方向に沿ってＳ字カーブを描くように切断するシート切断部１２６、及び、Ｓ字カーブ状に形成された側縁の谷部と直線状に形成された側縁との間を切り離すシート切離部１２８と、を更に備えている。
【０１３８】
図１４に示す止着テープ製造装置９０のシート切断部１２６は、長尺シート積層体７１をＳ字状に切断するカッター等の切断手段１３２、フック材８４が付設された部位と直線状に形成された側縁１０４との間においてフック材８４を内側とするように折り返す折り返し手段１３４、折り返したフック材８４を長尺基材シート７８の表面に仮止めする仮止め手段１３６とを有している。なお、仮止め手段１３６は、折り返したフック材８４の一部を長尺基材シート７８の表面側に押圧するための凹凸が少なくとも一方に形成された、一対の仮止め用ロール１３６ａ，１３６ｂを有している。
【０１３９】
また、シート切離部１２８は、Ｓ字カーブ状に形成された側縁の谷部と直線状に形成された側縁との間を切り離すカッター等の切離手段１３８を有している。
【０１４０】
［４］テープ型おむつ：
本発明のテープ型おむつは、その止着テープとして、既に説明した本発明の止着テープを備えるものである。より具体的には、吸収体と、吸収体の表面を被覆するように配置され、少なくとも一部が液透過性材料からなるトップシートと、吸収体の裏面を被覆するように配置され、液不透過性材料からなるバックシートとを備えるとともに、前身頃、股下部及び後身頃の各部から構成されており、後身頃の左右の各側縁から延出するように配置され、前身頃と後身頃とを固定するための止着テープを更に備え、その止着テープが、上記した本発明の止着テープであるテープ型おむつである。
【０１４１】
［４−１］止着テープ：
本発明のテープ型おむつは、その止着テープとして、既に説明した本発明の止着テープを備えるものであれば、他の構成について制限はない。但し、後身頃の左右の各側縁に、本発明の止着テープが２個ずつ配置されていることが好ましい。
【０１４２】
例えば、図１及び図５に示すテープ型おむつ１は、後身頃６の左右の各側縁６ａ，６ｂに、本発明の止着テープ１０が２個ずつ配置されたものである。このように、止着テープが２個ずつ配置されたテープ型おむつは、１個ずつ配置されたテープ型おむつと比較して、着用者の体型、具体的には、ウエスト周り、脚周りの寸法に合わせてテープ位置、締め付け具合を調節できるという点で優れている。
【０１４３】
本発明のテープ型おむつは、本発明の止着テープが融着によっておむつ本体に接合されたものであることが好ましい。融着によって接合することで、接着剤を用いた接着等と比較して、強固な接合を図ることができ、おむつ本体から止着テープが脱落する事態を有効に防止することができる。例えば、図１に示すテープ型おむつ１は、おむつ本体の後身頃６の側縁６ａ，６ｂ、より具体的にはサイドシート１９によって構成されるサイドフラップ８の両側縁に、超音波融着によって本発明の止着テープ１０を接合した例である。
【０１４４】
［４−２］吸収体：
吸収体は、着用者の尿を吸収し、保持するための部材である。吸収体は、着用者の尿や体液を吸収し保持する必要から、吸収性材料によって構成される。
【０１４５】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【０１４６】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【０１４７】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は、トップシートとバックシートの間の少なくとも一部に介装される。より具体的には、吸収体は少なくとも股下部に介装され、この吸収体が前身頃や後身頃にまで及んでいてもよい。
【０１４８】
吸収体は、その全体が親水性シートによって包み込まれていることが好ましい。このような構成は、吸収体からＳＡＰが漏洩することを防止し、吸収体に形状安定性を付与することができるという利点がある。
【０１４９】
吸収体の形状については特に制限はないが、従来の使い捨ておむつ、その他の吸収性物品において使用される形状、例えば、矩形状、砂時計型、ひょうたん型、Ｔ字型等を挙げることができる。図１に示すテープ型おむつ１は、吸収体２２として、砂時計型の吸収体を用いた例である。
【０１５０】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【０１５１】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【０１５２】
［４−３］トップシート：
トップシートは、吸収体の表面（おむつの装着時において着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【０１５３】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【０１５４】
トップシートは単一のシート材によって構成されていてもよいが、複数のシート材によって構成されていてもよい。また、おむつの装着時において着用者の肌側に位置する面には、液透過性材料により構成されたトップシート（センターシート）が配置され、サイドフラップの部分には、更に別のシート（サイドシート）が配置されていてもよい。図１に示すテープ型おむつ１は、おむつの中央部には液透過性材料からなるトップシート１８（センターシート１８ａ）を配置し、おむつのサイドフラップ８部分には液の透過に対して抵抗性を示す通気撥水性材料からなるサイドシート１９を配置した例である。
【０１５５】
［４−４］バックシート：
バックシートは、吸収体の裏面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【０１５６】
その配置方法については特に制限はないが、例えば、図１に示すテープ型おむつ１のように、おむつの外形と一致するように、バックシート２０を配置する構成を採用することができる。但し、必ずしもこのような構成を採用する必要はなく、吸収体で吸収された尿の漏れを防止するという観点から、少なくとも吸収体の存在する部分に液不透過性材料からなるバックシートを配置してもよい。
【０１５７】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【０１５８】
なお、バックシートには、その外表面側にシート材（カバーシート）を貼り合わせてもよい。このカバーシートは、バックシートを補強し、バックシートの手触り（触感）を良好なものとするために用いられる。
【０１５９】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【０１６０】
［４−５］立体ギャザー：
着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【０１６１】
立体ギャザーの構成は、従来の使い捨ておむつ、その他の吸収性物品に使用される構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。
【０１６２】
なお、立体ギャザーは、トップシートやバックシートとは全く別個のシート材により形成してもよいが、トップシート（例えば、センターシート）やサイドシート等を折り返すことにより形成してもよい。例えば、図１に示すテープ型おむつ１は、サイドシート１９を折り返すことにより立体ギャザー２６（２６ａ，２６ｂ）を形成した例である。但し、立体ギャザーは、セカンドシート以外の部材を折り返すことにより形成してもよい。
【０１６３】
この立体ギャザーは、股下部からの漏れを防止するため、少なくとも股下部に形成されていればよいが、前身頃や後身頃に形成されていてもよい。例えば、図１に示すテープ型おむつ１は、おむつの長手方向に沿って、股下部４から前身頃２と後身頃６の双方にかけて連続的に、一対の立体ギャザー２６（２６ａ，２６ｂ）が形成された例を示すものである。また、立体ギャザーは、少なくとも一対形成する必要があるが、二対以上形成してもよい。
【０１６４】
立体ギャザーはおむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。例えば、図１に示すテープ型おむつ１は、立体ギャザー２６（２６ａ，２６ｂ）を内倒しギャザーとした例である。
【０１６５】
［４−６］各種伸縮材：
テープ型おむつにおいては、脚周り伸縮材を配置し、ウエスト周り伸縮材を配置することが好ましい。
【０１６６】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿や体液がその凹部に溜まり、尿や体液をこぼすことなく、容易におむつの交換を行うことができる。
【０１６７】
例えば、図１に示すテープ型おむつ１は、おむつの長手方向に沿って、直線的に二本の脚周り伸縮材４０を配置してレグギャザーを形成した例である。この脚周り伸縮材４０は、糸ゴムによって構成されている。但し、脚周り伸縮材は、必ずしも直線的に配置する必要はなく、例えば、おむつの脚周り開口部のカーブに沿って曲線的に配置してもよい。
【０１６８】
脚周り伸縮材は、例えば、図１に示すテープ型おむつ１のように、立体ギャザー２６の起立線４６より外側の部分に、脚周り伸縮材４０が形成されていることが好ましい。このような構成とすると、立体ギャザーの十分な防漏効果を確保しつつ、股下部の装用感・装着感を向上させることができる。
【０１６９】
なお、図１に示すテープ型おむつ１は、脚周り伸縮材４０の形状、配置位置、配置数等を左右対称とした例を示したが、これらが左右非対称なものも本発明の範囲に含まれる。そして、図１に示すテープ型おむつ１では、脚周り伸縮材４０が片側につき二本配置された例を示したが、一本だけ配置されていてもよいし、三本以上配置されていてもよい。また、複数の脚周り伸縮材を用いる場合、その太さや伸張率等も目的に応じて適宜設定すればよく、全て同じものを用いる必要はない。
【０１７０】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【０１７１】
なお、図１に示すテープ型おむつ１は、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【０１７２】
なお、例えば、図１に示すテープ型おむつ１のように、後身頃６の左右の各側縁６ａ，６ｂに、止着テープ１０をそれぞれ２個ずつ配置した場合には、後身頃６の端縁に沿ってウエスト周り伸縮材４２が付設されるとともに、少なくとも股下部４の両側縁に沿って脚周り伸縮材４０を付設することが好ましい。
【０１７３】
前記のような構成により、２個の止着テープ１０のうち上側に配置された止着テープ１０とウエスト周り伸縮材４２が一体となって、着用者のウエスト周りにおけるおむつのフィット性を向上させることができる。また、２個の止着テープ１０のうち下側に配置された止着テープ１０と脚周り伸縮材４０が一体となって、着用者の脚周りにおけるおむつのフィット性を向上させることができる。この効果は、上側に配置された止着テープ１０を前身頃２の端縁と略同一方向に止め付け、下側に配置された止着テープ１０を前身頃２の端縁側（おむつ上側）に向かって引き上げるように止め付けた場合に特に大きくなる。
【０１７４】
これらの伸縮材については、ギャザーの収縮の程度等を勘案した上で、構成材料、その材料の伸長率、固定時の伸長状態等を決定すればよい。
【０１７５】
伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【０１７６】
伸縮材は、十分な伸縮力を作用させるため、伸長状態で固定することが好ましい。例えば、伸縮材が天然ゴムや合成ゴムである場合には、１１０〜４００％の伸長状態で固定することが好ましく、２００〜３００％の伸長状態で固定することがより好ましい。このような範囲の伸長状態で固定することにより、十分な伸縮力を作用させることが可能となる。
【０１７７】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【０１７８】
［５］テープ型おむつの製造方法：
以下、本発明のテープ型おむつの製造方法を、図１に示すテープ型おむつ１を製造する場合の例で説明する。まず、バックシート２０の材料となる長尺のシート材（バックシート材）の表面に、親水性シートに包まれた吸収体２２及び脚周り伸縮材４０を載置し、更にその表面にトップシート１８の材料となる長尺のシート材（トップシート材）を載置することにより、おむつの中間体となる積層体（おむつ連続体）を得る。この際、トップシート材は、センターシート１８ａに相当するトップシート材と、サイドシート１９に相当するサイドシート材の２種類が使用される。サイドシート１９に相当するサイドシート材には折り返し部分を設けることによって、立体ギャザー２６が形成されている。
【０１７９】
前記のようにして得られたおむつ連続体は、おむつの脚周り開口部に相当する部分を円弧状に切り抜いて切除し（Ｒカット）、脚周り開口部を形成する。最後に、おむつの後身頃６の側縁６ａ，６ｂに、本発明の止着テープ１０を付設し、おむつ連続体を個々のおむつに切断することにより、テープ型おむつ１を製造する。この際、後身頃６の左右の各側縁部と止着テープ１０の末端部とはヒートシール等の融着によって接合することが好ましい。
【０１８０】
なお、上記のような方法の他、予めトップシート材に止着テープを付設しておき、バックシート材の表面に、親水性シートに包まれた吸収体及び脚周り伸縮材を載置し、更にその表面に止着テープが付設されたトップシート材を載置することにより、おむつ連続体を得てもよい。また、前記のような一連の工程は、機械的な手段によって連続的に行うことが可能である。例えば、長尺のシート材をローラーから連続的に送出する等の方法・装置を採用することにより、テープ型おむつの連続製造が可能となり、生産性の向上に資する。
【実施例】
【０１８１】
以下、本発明の止着テープの実施例について更に具体的に説明する。但し、本発明の止着テープは、その発明特定事項を備えた止着テープを全て包含するものであり、以下の実施例に限定されるものではない。
【０１８２】
（実施例１）
実施例１として、図１２に示す止着テープについて説明する。本実施例の止着テープ１０ｇは、おむつの前身頃と後身頃とを固定するために用いられ、基材４８と、この基材４８の表面に付設されたメカニカルファスナーのフック材４４とを備え、フック材４４のそれぞれの端部４４ａには、フック材４４の表面側から基材４８側に向けて所定の幅で押圧された帯状の凹部６０ｆが形成されている。
【０１８３】
基材４８とフック材４４とは、フック材４４の裏面に塗布されたホットメルト接着剤によって接合されるとともに、凹部６０ｆ形成時に、加熱されたパターンロールによって更にヒートシールされて接合されている。
【０１８４】
基材４８は、スパンボンド不織布からなるシート材から構成され、フック材４４は、ポリエチレン製の、厚さ１ｍｍ（未押圧時）のメカニカルファスナーによって構成されている。フック材４４の一方の端部から他方の端部までの幅は、３０ｍｍである。フック材４４の端部に形成された凹部６０ｆのそれぞれの幅は、各４ｍｍであり、中央部分の止着領域の幅は２２ｍｍである。
【０１８５】
実施例１においては、凹部６０ｆは、帯状の凹部６０ｆの長手軸に対して、深凹部６２ｆと浅凹部６４ｆとが斜め４５度に傾斜するように配列された縞状の繰り返しパターンを有しており、この縞状の繰り返しパターンが、フック材４４の一方の端部側の凹部６０ｆと、他方の端部側の凹部６０ｆとで、パターンの向き（傾斜の向き）が逆向きになるように構成されている。この繰り返しパターンは、深凹部６２ｆと浅凹部６４ｆとが等間隔（等ピッチ）で配列したものであり、上記長手軸方向における深凹部６２ｆの幅が２ｍｍであり、浅凹部６４ｆの幅が５ｍｍである。
【０１８６】
また、深凹部６２ｆの押圧深さは０．９ｍｍであり、浅凹部６４ｆの押圧深さは０．８ｍｍである。なお、実施例１における深凹部６２ｆと浅凹部６４ｆとは、凹部６０ｆの形成時の押圧によりフック材４４の止着力をそれぞれ喪失したものである。なお、上記押圧深さは、押圧前の状態におけるフック材４４のピンの突端から、押圧によって形成された凹部６０ｆの表面（底面）までの距離（深さ）である。
【０１８７】
また、実施例１の止着テープ１０ｇは、フック材４４の両端部の凹部６０ｆ間の中央部分に、帯状の凹部６０ｆと平行に、所定の間隔でドット状に二列、千鳥状に押圧された中央凹部６１ａが形成されている。各中央凹部６１ａは、１×１ｍｍの大きさであり、各凹部６０ｆから幅方向に６ｍｍの間隔を空けて、且つ一列の中央凹部６１ａは、長手方向に８ｍｍの間隔を空けて千鳥状に形成されている。なお、この中央凹部６１ａの押圧深さは０．５ｍｍである。
【０１８８】
この止着テープ１０ｇは、図１４及び図１５に示すような止着テープ製造装置９０によって製造された。止着テープ製造装置９０を構成するシート押圧部１２４は、図１７及び図１８に示すような、上記凹部及び中央凹部を形成するためのパターンロール９８を有している。このパターンロール９８は、その押圧面に深凹部の反転形状の高凸部９９ａ及び浅凹部の反転形状の低凸部９９ｂからなる凸部９９と、中央凹部の反転形状の中央凸部１０１とが形成されている。
【０１８９】
パターンロール９８は、押圧時にヒートシールが可能な温度に加熱してヒートシールを行った。勿論、パターンロールを加熱せず、フック材と基材とを単に圧着することも可能である。
【０１９０】
また、このパターンロール９８は、中央部分で幅方向に分割可能に構成されており、凸部９９の位置（凸部９９間の距離）を調節することができるように構成されている。
【０１９１】
このような止着テープ１０ｇは、図１に示すような使い捨ておむつ１の後身頃６の左右の各側縁６ａ，６ｂに配置して、おむつの前身頃２と後身頃６とを固定するために好適に用いることができる。
【産業上の利用可能性】
【０１９２】
本発明の止着テープは、おむつの前身頃と後身頃とを固定するための止着テープとして好適に利用することができる。また、本発明のテープ型おむつは、乳幼児用、或いは介護を必要とする高齢者や障害者等の成人用のおむつとして好適に利用することができる。
【図面の簡単な説明】
【０１９３】
【図１】本発明の止着テープを用いたテープ型おむつの一の実施形態を示す一部切り欠き断面図であり、テープ型おむつを展開し、トップシート側から見た状態を示す図である。
【図２】本発明の止着テープを用いたテープ型おむつの一の実施形態を示す拡大図であり、図１に示すテープ型おむつの止着テープ部分を拡大して示す図である。
【図３】図２示す止着テープのフック材が付設された部位を更に拡大した拡大図である。
【図４】図３に示す止着テープをＡ−Ａ’線に沿って切断した断面を示す概略断面図である。
【図５】本発明の止着テープを用いたテープ型おむつを使用した状態を示す斜視図である。
【図６】深凹部と浅凹部との繰り返しパターンの他の例を示す、止着テープのフック材が付設された部位を拡大した拡大図である。
【図７】深凹部と浅凹部との繰り返しパターンの更に他の例を示す、止着テープのフック材が付設された部位を拡大した拡大図である。
【図８】深凹部と浅凹部との繰り返しパターンの更に他の例を示す、止着テープのフック材が付設された部位を拡大した拡大図である。
【図９】深凹部と浅凹部との繰り返しパターンの更に他の例を示す、止着テープのフック材が付設された部位を拡大した拡大図である。
【図１０】深凹部と浅凹部との繰り返しパターンの更に他の例を示す、止着テープのフック材が付設された部位を拡大した拡大図である。
【図１１】深凹部と浅凹部との繰り返しパターンの更に他の例を示す、止着テープのフック材が付設された部位を拡大した拡大図である。
【図１２】本発明の止着テープの更に他の例を示す、止着テープのフック材が配置された付設を拡大した拡大図である。
【図１３】本発明の止着テープの更に他の例を示す、止着テープのフック材が配置された付設を拡大した拡大図である。
【図１４】本発明の止着テープ製造装置の一の実施形態の構成を模式的に示す説明図である。
【図１５】図１４に示す止着テープ製造装置のＢに示す部分を拡大して示す一部概略斜視図である。
【図１６】本発明の止着テープ製造装置の他の実施形態の構成を模式的に示す説明図である。
【図１７】凹部の形成に用いられるパターンロールの構成を模式的に示す平面図である。
【図１８】図１７に示すパターンロールのＣに示す部分を拡大して示す一部平面図である。
【図１９】本発明の止着テープの製造方法の一の実施形態における、止着テープ切離工程を説明する平面図である。
【図２０】従来のテープ型おむつの一の実施形態を示す一部切り欠き断面図であり、従来のテープ型おむつを展開し、トップシート側から見た状態を示す図である。
【図２１】図２０示す止着テープのフック材が付設された部位を更に拡大した拡大図である。
【符号の説明】
【０１９４】
１，１５０：テープ型おむつ、２：前身頃、４：股下部、６：後身頃、６ａ，６ｂ：側縁、８：サイドフラップ、１０，１０ａ，１０ｂ，１０ｃ，１０ｄ，１０ｅ，１０ｆ，１０ｘ，１０ｙ：止着テープ、１２：フロントパッチ、１８：トップシート、１８ａ：センターシート、１９：サイドシート、２０：バックシート、２２：吸収体、２６，２６ａ，２６ｂ：立体ギャザー、３６，３６ａ，３６ｂ：立体ギャザー伸縮材、４０：脚周り伸縮材、４２：ウエスト周り伸縮材、４４：フック材、４４ａ：端部（フック材の端部）、４６：起立線、４８：基材、５２：ループ材、６０，６０，６０ａ，６０ｂ，６０ｃ，６０ｄ，６０ｅ，６０ｆ，６０ｇ，６０ｈ：凹部、６１ａ，６１ｂ：凹部（中央凹部）、６２，６２ａ，６２ｂ，６２ｃ，６２ｄ，６２ｅ，６２ｆ：深凹部、６４，６４ａ，６４ｂ，６４ｃ，６４ｄ，６４ｅ，６４ｆ：浅凹部、７０：止着テープ、７１：長尺シート積層体、７２：止着テープ中間体、７４：長尺フック材、７４ａ：側縁部（長尺フック材の側縁部）、７８：長尺基材シート、８０：凹部、８１：凹部（中央凹部）、８４：フック材、８６：仮止め部、９０，９０ａ：止着テープ製造装置、９２：接着剤、９４：接着剤塗布手段、９５：押圧手段、９６：超音波ホーン、９７：パターンロール支持体、９８：パターンロール、９９：凸部、９９ａ：高凸部、９９ｂ：低凸部、１００：プレーンロール、１０１：中央凸部、１０２：谷部、１０４：側縁、１１４：長尺フック材供給ロール、１１６：支持ロール、１１８：長尺基材シート供給ロール、１２２：シート積層部、１２４：シート押圧部、１２６：シート切断部、１２８：シート切離部、１３２：切断手段、１３４：折り返し手段、１３６：仮止め手段、１３６ａ：仮止め用ロール、１３６ｂ：１４０：止着テープ、１４４：フック材、１４４ａ：端部（フック材の端部）、１４８：基材。
【図１】
0005054605.tif 000002
【図２】
0005054605.tif 000003
【図３】
0005054605.tif 000004
【図４】
0005054605.tif 000005
【図５】
0005054605.tif 000006
【図６】
0005054605.tif 000007
【図７】
0005054605.tif 000008
【図８】
0005054605.tif 000009
【図９】
0005054605.tif 000010
【図１０】
0005054605.tif 000011
【図１１】
0005054605.tif 000012
【図１２】
0005054605.tif 000013
【図１３】
0005054605.tif 000014
【図１４】
0005054605.tif 000015
【図１５】
0005054605.tif 000016
【図１６】
0005054605.tif 000017
【図１７】
0005054605.tif 000018
【図１８】
0005054605.tif 000019
【図１９】
0005054605.tif 000020
【図２０】
0005054605.tif 000021
【図２１】
0005054605.tif 000022